【手続補正書】
【提出日】平成19年5月14日(2007.5.14)
【手続補正１】
【補正対象書類名】明細書
【補正対象項目名】特許請求の範囲
【補正方法】変更
【補正の内容】
【特許請求の範囲】
【請求項１】
第１のポート、第２のポート及び第３のポートと、
前記第１のポートと前記第３のポートとの間に接続され、分路素子及び直列素子を備えた第１の梯子型回路を含んでおり、前記素子のそれぞれに薄膜バルク音波共振器（ＦＢＡＲ）が含まれている第１の帯域フィルタと、
前記第２のポートと前記第３のポートとの間に接続され、第２の帯域フィルタと直列をなす９０゜移相器を備える直列回路と、
を備え、
前記第２の帯域フィルタが、分路素子及び直列素子を備え、前記素子のそれぞれが薄膜バルク音波共振器（ＦＢＡＲ）を有する第２の梯子型回路を備えることを特徴とする
送受切換器。
【請求項２】
前記ＦＢＡＲがそれぞれ共振周波数を備え、
前記第１の帯域フィルタの前記直列素子に含まれる前記ＦＢＡＲが、全て、同じ共振周波数を備え、
前記第１の帯域フィルタの前記分路素子に含まれる前記ＦＢＡＲが、全て、前記直列素子に含まれる前記ＦＢＡＲの前記共振周波数とは異なる、同じ共振周波数を備える
請求項１記載の送受切換器。
【請求項３】
前記第２の帯域フィルタの前記素子に含まれる前記ＦＢＡＲが、全体として、２つの異なる共振周波数を備える請求項２記載の送受切換器。
【請求項４】
前記第２の帯域フィルタの前記素子に含まれる前記ＦＢＡＲが、全体として、３つ以上の異なる共振周波数を備える請求項２記載の送受切換器。
【請求項５】
前記第２の帯域フィルタの前記素子に含まれる前記ＦＢＡＲが、全て、異なる共振周波数を備える請求項２記載の送受切換器。
【請求項６】
前記帯域フィルタの前記素子の少なくとも１つに、さらにＦＢＡＲと直列をなす補助インダクタが含まれる請求項２記載の送受切換器。
【請求項７】
前記第２の帯域フィルタの前記直列素子に含まれる前記ＦＢＡＲが、全て、同じ共振周波数を備え、
前記第２の帯域フィルタの前記分路素子に含まれる前記ＦＢＡＲが、全て、前記第２の帯域フィルタの前記直列素子に含まれる前記ＦＢＡＲの前記共振周波数とは異なる、同じ共振周波数を備える
請求項６記載の送受切換器。
【請求項８】
前記第１の帯域フィルタ及び前記第２の帯域フィルタが、それぞれ、帯域上限と帯域下限とを備えており、
前記第１の帯域フィルタの前記帯域上限及び前記帯域下限の一方が、前記第２の帯域フィルタの前記帯域上限及び前記帯域下限のもう一方に重なり、
前記ＦＢＡＲが分路キャパシタンスを備え、
前記補助インダクタが、前記第１の帯域フィルタの前記帯域上限及び前記帯域下限並びに前記第２の帯域フィルタの前記帯域上限及び帯域下限の１つに対応する周波数で、前記分路キャパシタンスと直列共振を生じるインダクタンスを備える
請求項６記載の送受切換器。
【請求項９】
前記分路素子の１つに含まれる前記ＦＢＡＲが、第１のＦＢＡＲと、前記第１のＦＢＡＲと直列をなす第２のＦＢＡＲと、を備える請求項２記載の送受切換器。
【請求項１０】
前記ＦＢＡＲが、それぞれ、共振周波数を備え、
前記帯域フィルタの少なくとも１つの前記素子に含まれる前記ＦＢＡＲが、全体として、２つの異なる共振周波数を備える
請求項１記載の送受切換器。
【請求項１１】
前記ＦＢＡＲが、それぞれ、共振周波数を備え、
前記帯域フィルタの少なくとも１つの前記素子に含まれる前記ＦＢＡＲが、全体として、３つ以上の異なる共振周波数を備える
請求項１記載の送受切換器。
【請求項１２】
前記ＦＢＡＲが、それぞれ、共振周波数を備え、
前記帯域フィルタの少なくとも１つの前記素子に含まれる前記ＦＢＡＲが、全て、異なる共振周波数を備える
請求項１記載の送受切換器。
【請求項１３】
前記帯域フィルタの前記素子の少なくとも１つに、さらに、それに含まれる前記ＦＢＡＲと直列をなす補助インダクタが含まれる請求項１記載の送受切換器。
【請求項１４】
前記第２の帯域フィルタの前記直列素子に含まれる前記ＦＢＡＲが、全て、同じ共振周波数を備え、
前記第２の帯域フィルタの前記分路素子に含まれる前記ＦＢＡＲが、全て、前記第２の帯域フィルタの前記直列素子に含まれる前記ＦＢＡＲの前記共振周波数とは異なる、同じ共振周波数を備える
請求項１３記載の送受切換器。
【請求項１５】
前記第１の帯域フィルタ及び前記第２の帯域フィルタが、それぞれ、帯域上限と帯域下限を備えており、
前記第１の帯域フィルタの前記帯域上限及び前記帯域下限の一方が、前記第２の帯域フィルタの前記帯域上限及び前記帯域下限のもう一方に重なり、
前記ＦＢＡＲが分路キャパシタンスを備え、
前記補助インダクタが、前記第１の帯域フィルタの前記帯域上限及び前記帯域下限並びに前記第２の帯域フィルタの前記帯域上限及び帯域下限の１つに対応する周波数で、前記分路キャパシタンスと直列共振を生じるインダクタンスを備える
請求項１３記載の送受切換器。
【請求項１６】
前記補助インダクタが、前記分路素子の１つに含まれる前記ＦＢＡＲと直列をなしている請求項１３記載の送受切換器。
【請求項１７】
前記分路素子の１つが、前記第２の帯域フィルタの前記分路素子の１つである請求項１６記載の送受切換器。
【請求項１８】
前記分路素子の１つに含まれる前記ＦＢＡＲが、第１のＦＢＡＲと、前記第１のＦＢＡＲと直列をなす第２のＦＢＡＲと、を備える請求項１記載の送受切換器。
【請求項１９】
さらに、前記帯域フィルタの少なくとも１つにおける前記分路素子の２つに対する共通接地接続と直列をなす補助インダクタをさらに備える請求項１記載の送受切換器。
【請求項２０】
帯域フィルタが、分路素子と、直列素子と、を備え、
前記直列素子及び前記分路素子が、梯子型回路を形成するように接続され、
前記素子のそれぞれが薄膜バルク音波共振器（ＦＢＡＲ）を含む
送受切換器。
【請求項２１】
前記ＦＢＡＲが、全体として、２つの異なる共振周波数を備える請求項２０記載の送受切換器。
【請求項２２】
前記ＦＢＡＲが、全体として、３つ以上の異なる共振周波数を備える請求項２０記載の送受切換器。
【請求項２３】
前記ＦＢＡＲが、全て、異なる共振周波数を備える請求項２０記載の送受切換器。
【請求項２４】
前記素子の少なくとも１つが、さらに、それに含まれるＦＢＡＲと直列をなす補助インダクタを備える請求項２０記載の送受切換器。
【請求項２５】
前記ＦＢＡＲが、それぞれ、共振周波数を備え、
前記直列素子に含まれる前記ＦＢＡＲが、全て、同じ共振周波数を備え、
前記分路素子に含まれる前記ＦＢＡＲが、全て、前記直列素子に含まれる前記ＦＢＡＲの前記共振周波数とは異なる、同じ共振周波数を備える
請求項２４記載の送受切換器。
【請求項２６】
薄膜バルク音波共振器（ＦＢＡＲ）の少なくとも１つが、他のＦＢＡＲと共振周波数が異なっている、ＦＢＡＲの集積アレイであって、
第２の主表面と向かい合った第１の主表面を含む圧電層と、
前記圧電層の前記第１の主表面に配置された第１の電極と、
前記圧電層の前記第２の主表面に配置された第２の電極と、
を備え、
前記第２の電極の１つが前記第１の電極の１つと重なる位置に、前記ＦＢＡＲの１つが形成され、
前記他のＦＢＡＲと共振周波数が異なる前記ＦＢＡＲの１つを形成する前記電極が、前記他のＦＢＡＲを形成する前記他の電極と重み付き厚さが異なる
ＦＢＡＲ集積アレイ。
【請求項２７】
前記他のＦＢＡＲと共振周波数が異なる前記ＦＢＡＲの１つを形成する前記電極が、前記他の電極と物理的厚さが異なる請求項２６記載の集積アレイ。
【請求項２８】
前記ＦＢＡＲが、梯子型回路の直列素子及び分路素子を構成し、
前記直列素子を構成する前記ＦＢＡＲの前記電極が、ほぼ同じ重み付き厚さを備え、
前記分路素子を構成する前記ＦＢＡＲの前記電極が、前記直列素子を構成する前記ＦＢＡＲの前記電極の前記重み付き厚さとは異なる、ほぼ同じ重み付き厚さを備える
請求項２６記載の集積アレイ。